(57)【要約】【課題】被照射面内で、要求される照度の異なる複数の領域での照射光の強度を精度よく制御することができる、簡単な構成で光源光の利用効率の高い光源装置を実現する。【解決手段】光源装置１において、光源光Ｌｓを出射する光源を含む光源部材２と、該光源光Ｌｓを被照射面Ｒｐに向けて反射する反射部材２０とを有し、この光源部材２は、反射部材２０で光源光Ｌｓの反射により得られた反射光Ｌｒのみが被照射面Ｒｐに入射するように、光源から被照射面Ｒｐに向かって出射された光源光である直接光を遮る遮光部を有している。【選択図】図２
2014203616.tif 000002
【特許請求の範囲】
【請求項１】
光源光を出射する少なくとも１つの光源を含む光源部材と、該光源光を被照射面に向けて反射する反射部材とを有する光源装置であって、
該光源部材は、該反射部材で該光源光の反射により得られた反射光のみが該被照射面に入射するように、該光源から該被照射面に向かって出射された光源光である直接光を遮る遮光部を有する、光源装置。
【請求項２】
前記光源部材は、基準方向に沿って配列された複数の光源を有し、
前記反射部材の光反射面は、該基準方向に垂直な面内で湾曲させた湾曲形状を有する複数の反射領域を有し、
該複数の反射領域の少なくとも１つの湾曲形状は、その他の反射領域の湾曲形状と異なる、請求項１に記載の光源装置。
【請求項３】
前記反射部材の光反射面は、前記基準方向に垂直な面内における曲率半径を有する複数の反射領域を有し、該複数の反射領域の少なくとも１つの曲率半径は、その他の反射領域の曲率半径と異なる請求項２に記載の光源装置。
【請求項４】
前記複数の反射領域の各々の、前記基準方向に垂直な面内での湾曲形状は、微分可能な関数により定義されており、
前記反射部材の光反射面は、前記複数の反射部材のうちの隣接する２つの反射領域の境界位置では微分不可能な形状である請求項２または３に記載の光源装置。
【請求項５】
前記反射部材の光反射面における前記基準方向に垂直な面内での湾曲形状は、前記隣接する２つの反射領域の境界部が該境界部の周辺領域に対して凹んだ形状である請求項５に記載の光源装置。
【請求項６】
前記反射部材の光反射面における前記基準方向に垂直な面内での湾曲形状は、前記隣接する２つの反射領域の境界部が該境界部の周辺領域に対して突出した形状である請求項５に記載の光源装置。
【請求項７】
前記反射部材の光反射面は、複数の反射領域を有し、
該複数の反射領域の各々は、放物面、平面、楕円面、球面、および非球面からなる群から選択された面形状を有する、請求項１に記載の光源装置。
【請求項８】
前記反射部材の光反射面の湾曲形状は、該光反射面全体の湾曲特性としての、楕円鏡の光反射面の曲面形状を規定する基本湾曲特性と、該光反射面の局所的な湾曲特性としての、該基本湾曲特性と異なった、該楕円鏡の光反射面の曲面形状と同種の曲面形状あるいは該楕円鏡の光反射面の曲面形状と異なる種類の曲面形状を規定する局所湾曲特性とにより規定されている請求項１に記載の光源装置。
【請求項９】
前記光源は、該光源の光出射面が前記被照射面とは反対側を向くように配置されており、
前記反射部材は、該光源の光出射面に対向するように配置され、該光源から出射された光源光を該被照射面に向けて反射する光反射面を有し、
前記遮光部は、該光源を載置する光源載置台と、該光源載置台上に該光源を囲むように配置された遮光板とを含み、該光源載置台と該遮光板とにより前記直接光を遮るように構成されている、請求項１に記載の光源装置。
【請求項１０】
前記光源がＬＥＤ光源である、請求項１から請求項９のいずれか１項に記載の光源装置。
【請求項１１】
前記光源光が可視光または紫外光である、請求項１から請求項１０のいずれか１項に記載の光源装置。
【発明の詳細な説明】
【技術分野】
【０００１】
本発明は、工場内の作業環境を改善するため、あるいは公園、街路等の安全性を高めるため、更には看板、掲示板の照明を効果的に演出するため、紫外光により衛生環境を保持するためなどに設置される光源装置に関し、詳しくは、被照射面に形成される明るい（照射が強い）領域と暗い（照射が弱い）領域を含む照射パターンを、光源光を反射する反射部材の光反射面の形状により精度よく調整することができる光源装置に関する。
【背景技術】
【０００２】
従来から、公園や道路の街路灯として、街路灯の周辺領域を効率良く照射するために、公園の敷地や道路の路面に設置された支柱と、この支柱の上部に取り付けられた光源部材とを有するものがある（例えば、特許文献１）。
【０００３】
このような街路灯では、光源部材は、街路灯用の支柱の上部に固定される透光ケースと、該透光ケース内に収容された光源と、該光源の上方に配置された鏡面部とを備えている。
【０００４】
この街路灯では、光源から上方に放射された光は鏡面部で斜め下方に反射されることとなり、光源から下方に向かう直接光と鏡面部からの反射光とにより、街路灯の周辺を効率良く照射することができる。
【０００５】
なお、特許文献２にも、広場、テニスコート、駐車場などを照明する照射器具において、特許文献１と同様に光源と反射鏡とを備え、光源からの直接光と反射鏡からの反射光とにより被照射面を効率よく照射するものが開示されている。
【先行技術文献】
【特許文献】
【０００６】
【特許文献１】特開２００４−７１４９０号公報
【特許文献２】特開昭５７−１４１８０１号公報
【発明の概要】
【発明が解決しようとする課題】
【０００７】
ところで、街路では、歩道には車道に比べて明るい照明を必要とすることがあり、また、工場などでは、特定の作業領域には他の領域に比べて明るい照明を必要とすることがある。更には、店舗などでは、看板あるいは店舗内の特定範囲において、視覚的な効果として明るい照明が必要とすることがある。
【０００８】
このような場合には、被照射面における要求される照度が異なる領域毎に照射光の強さを調節するために、レンズや複数の反射鏡を用いて光源光を収束もしくは拡散させることが考えられる。
【０００９】
また、光源から被照射面に向かう光路の一部に光遮蔽物を介在させることにより、光源から被照射面に向かう光の一部を遮断したり、あるいは光源から被照射面に向かう光路に光拡散プレートなどを介在させることにより、光源から被照射面に向かう光を拡散させたりすることによって、被照射面内で、要求される照度の異なる領域毎に照射光の強さを調整することも考えられる。
【００１０】
しかし、レンズや複数の反射鏡を使用する場合は、照明装置の部品点数が多くなり、作製コストが上がる。遮蔽物や光拡散プレートを光路の一部に介在させる場合は、光源光の有効な光束の損失が生じる。
【００１１】
そこで、反射部材の光反射面の形状により、被照射面内で必要な照度の異なる領域毎に照射光の強さを調整することも考えられるが、特許文献１に開示の街路灯や特許文献２に開示の照明器具などの照明装置では、光源から被照射面に直接入射する直接光と、鏡面部で反射して被照射面に入射する反射光とにより被照射面が照射されるため、反射部材の光反射面の形状により、被照射面に照射強度の違いによる明るい領域と暗い領域とを形成しようとしても、明るい（照射が強い）領域と暗い（照射が弱い）領域とを含む明暗（強弱）パターンを反射部材の光反射面の形状により精度よく調整することができないという問題がある。
【００１２】
本発明は、上述の従来の問題点を解決するためになされたものであり、部品点数の増大、さらに光源光の光束の損失を回避しつつ、被照射面での照度を、要求される照度の異なる領域毎に精度よく調整することができ、これにより被照射面における明るい（照射が強い）領域の範囲と暗い（照射が弱い）領域の範囲を精度よく制御することができる、簡単な構成で光源光の利用効率の高い光源装置を提供することを目的とする。
【課題を解決するための手段】
【００１３】
本発明に係る光源装置は、光源光を出射する少なくとも１つの光源を含む光源部材と、該光源光を被照射面に向けて反射する反射部材とを有する光源装置であって、該光源部材は、該反射部材で該光源光の反射により得られた反射光のみが該被照射面に入射するように、該光源から該被照射面に向かって出射された光源光である直接光を遮る遮光部を有するものであり、そのことにより上記目的が達成される。
【００１４】
本発明は、上記光源装置において、前記光源部材は、基準方向に沿って配列された複数の光源を有し、前記反射部材の光反射面は、該基準方向に垂直な面内で湾曲させた湾曲形状を有する複数の反射領域を有し、該複数の反射領域の少なくとも１つの湾曲形状は、その他の反射領域の湾曲形状と異なることが好ましい。
【００１５】
本発明は、上記光源装置において、前記反射部材の光反射面は、前記基準方向に垂直な面内における曲率半径を有する複数の反射領域を有し、該複数の反射領域の少なくとも１つの曲率半径は、その他の反射領域の曲率半径と異なることが好ましい。
【００１６】
本発明は、上記光源装置において、前記複数の反射領域の各々の、前記基準方向に垂直な面内での湾曲形状は、微分可能な関数により定義されており、前記反射部材の光反射面は、前記複数の反射部材のうちの隣接する２つの反射領域の境界位置では微分不可能な形状であることが好ましい。
【００１７】
本発明は、上記光源装置において、前記反射部材の光反射面における前記基準方向に垂直な面内での湾曲形状は、前記隣接する２つの反射領域の境界部が該境界部の周辺領域に対して凹んだ形状であることが好ましい。
【００１８】
本発明は、上記光源装置において、前記反射部材の光反射面における前記基準方向に垂直な面内での湾曲形状は、前記隣接する２つの反射領域の境界部が該境界部の周辺領域に対して突出した形状であることが好ましい。
【００１９】
本発明は、上記光源装置において、前記反射部材の光反射面は、複数の反射領域を有し、該複数の反射領域の各々は、放物面、平面、楕円面、球面、および非球面からなる群から選択された面形状を有することが好ましい。
【００２０】
本発明は、上記光源装置において、前記反射部材の光反射面の湾曲形状は、該光反射面全体の湾曲特性としての、楕円鏡の光反射面の曲面形状を規定する基本湾曲特性と、該光反射面の局所的な湾曲特性としての、該基本湾曲特性と異なった、該楕円鏡の光反射面の曲面形状と同種の曲面形状あるいは該楕円鏡の光反射面の曲面形状と異なる種類の曲面形状を規定する局所湾曲特性とにより規定されていることが好ましい。
【００２１】
本発明は、上記光源装置において、前記光源は、該光源の光出射面が前記被照射面とは反対側を向くように配置されており、前記反射部材は、該光源の光出射面に対向するように配置され、該光源から出射された光源光を該被照射面に向けて反射する光反射面を有し、前記遮光部は、該光源を載置する光源載置台と、該光源載置台上に該光源を囲むように配置された遮光板とを含み、該光源載置台と該遮光板とにより前記直接光を遮るように構成されていることが好ましい。
【００２２】
本発明は、上記光源装置において、前記光源がＬＥＤ光源であることが好ましい。
また 本発明は、上記光源装置において、前記光源光が可視光または紫外光であることが好ましい。
【発明の効果】
【００２３】
本発明によれば、部品点数の増大、さらに光源光の光束の損失を回避しつつ、被照射面での照度を、要求される照度の異なる領域毎に精度よく調整することができ、これにより被照射面における明るい（照射が強い）領域の範囲と暗い（照射が弱い）領域の範囲を精度よく制御することができる、簡単な構成で光源光の利用効率の高い光源装置を実現することができる。
【図面の簡単な説明】
【００２４】
【図１】図１は、本発明の実施形態１による光源装置を説明する斜視図である。
【図２】図２は、本発明の実施形態１による光源装置による照射状態を概念的に示す図である。
【図３】図３は、本実施形態１による光源装置の光源部材を説明する概略断面図である。
【図４】図４は、本実施形態１による光源装置の反射部材を構成する反射部材本体（反射鏡）を説明する側面図である。
【図５】図５は、本実施形態１による光源装置の反射部材を構成する反射部材本体（反射鏡）を説明する正面図である。
【図６】図６は、本実施形態１による光源装置における光源部材と反射部材との位置関係を示す側面図である。
【図７】図７は、本発明の実施形態２による光源装置の反射部材を説明する概略正面図である。
【図８】図８は、本発明の実施形態２による光源装置の反射部材を説明する分解正面図である。
【図９】図９は、本発明の実施形態２による光源装置の反射部材本体を構成する本体構成ユニットの要部を示す斜視図である。
【図１０】図１０は、本発明の実施形態２による光源装置の反射部材本体を構成する本体構成ユニットの別の要部を示す斜視図である。
【図１１】図１１は、本発明の実施形態１による光源装置の反射部材における隣接する反射領域の境界部を示す拡大断面図（図１１（Ａ）〜図１１（Ｃ））である。
【発明を実施するための形態】
【００２５】
以下、図面を参照して、本発明の実施の形態を説明する。
（実施形態１）
図１は、本発明の実施形態１による光源装置（照明装置）を説明する斜視図である。図２は、この実施形態１の光源装置による照明状態を概念的に示す図である。図３は、この実施形態１による光源装置の光源部材を説明する概略断面図である。図４及び図５は、この実施形態１による光源装置の反射部材を構成する反射部材本体（反射鏡）を説明する側面図及び正面図である。図６は、本実施形態１による光源装置における光源部材と反射部材との位置関係を示す側面図である。
【００２６】
図１に示す光源装置１は、光源光Ｌｓとして可視光を出射する光源３５を含む光源部材２と、該光源光Ｌｓを被照射面Ｒｐに向けて反射する反射部材２０とを有している。ここで光源部材２は、反射部材２０で光源光Ｌｓの反射により得られた反射光Ｌｒのみが被照射面Ｒｐに入射するように、光源３５から被照射面Ｒｐに向かって出射された光源光である直接光Ｌｄを遮る遮光部を有している。なお、図２中、Ｒ１は被照射面Ｒｐにおける照射強度の強い領域、Ｒ２は被照射面Ｒｐにおける照射強度の弱い領域である。
【００２７】
ここで、光源３５は、その光出射面３５ａが被照射面Ｒｐとは反対側を向くように配置されており、反射部材２０は、光源３５の光出射面３５ａに対向するように配置され、該光源３５から出射された光源光Ｌｓを該被照射面Ｒｐに向けて反射する光反射面１０を有している。また、上記遮光部は、光源３５を載置する光源載置台３４と、該光源載置台３４を保持する載置台支持部３３と、該光源載置台３４上に該光源３５を囲むように配置された遮光板３７とを含み、該載置台支持部３３と該遮光板３７とにより直接光Ｌｄを遮るように構成されている。ここでは、光源としてＬＥＤ光源を用いている。ただし、光源はこれに限定されるものではなく、プラズマ光源等であってもよい。
【００２８】
また、光源部材２における光源３５は基準方向Ｘに沿って複数配列されており、反射部材２０の光反射面１０は、基準方向Ｘに垂直な面（鉛直面）Ｙ内での湾曲形状が異なる複数の反射領域を含んでいる。
【００２９】
なお、本発明においては、反射部材２０の光反射面１０は、基準方向Ｘに垂直な面（鉛直面）Ｙ内で湾曲させた第１の湾曲形状を有する第１の反射領域Ｒｆ１と、基準方向Ｘに垂直な面（鉛直面）Ｙ内で湾曲させた、該第１の湾曲形状とは異なる第２の湾曲形状を有する第２の反射領域Ｒｆ２とを少なくとも有することが必須であるが、以下に説明するように、３つ以上、例えば６つの反射領域Ｒｆ１〜Ｒｆ６を含んでいてもよい。
【００３０】
ここで、基準方向に沿って配列された複数の光源３５は直線状光源体２ａを構成しており、反射部材２０の光反射面１０の、鉛直面Ｙ内での湾曲形状は、反射部材２０の光反射面１０が直線状光源体２ａの一側方側に囲む楕円形状となっている。
【００３１】
また、各反射領域の光反射面の鉛直面Ｙ内での湾曲形状は、微分可能な関数により定義されており、反射部材２０の光反射面１０における鉛直面Ｙ内での湾曲形状は、隣接する２つの反射領域の境界位置（境界部）１７では微分不可能な形状となっている。
【００３２】
例えば、第１の反射領域Ｒｆ１の光反射面（第１の反射面）１１の鉛直面Ｙ内での湾曲形状は、微分可能な第１の関数により定義されており、第２の反射領域Ｒｆ２の光反射面（第２の反射面）１２の、鉛直面Ｙ内での湾曲形状は、微分可能な第２の関数により定義されており、反射部材２０の光反射面１０における鉛直面Ｙ内での湾曲形状は、第１の反射領域Ｒｆ１と第２の反射領域Ｒｆ２との境界位置（境界部）１７では微分不可能な形状となっている。さらに、光反射面１０における鉛直面Ｙ内での湾曲形状は、隣接する２つの反射領域の境界部、例えば、第１の反射領域Ｒｆ１と第２の反射領域Ｒｆ２との境界部１７がその周辺部分より凹んだ形状となっている。ただし、光反射面１０における鉛直面Ｙ内での湾曲形状は、第１の反射領域Ｒｆ１と第２の反射領域Ｒｆ２との境界部１７がその周辺部分より突出した形状であってもよい。
【００３３】
より具体的には、ここでは、反射部材２０の光反射面１０は、図５に示すように第１〜第６の反射領域Ｒｆ１〜Ｒｆ６を有しており、それぞれの反射領域の反射面１１〜１６の湾曲形状は、被照射面Ｒｐで要求される明暗パターンに合わせて、鉛直面Ｙ内で曲率半径を設定した形状としている。また、光反射面１０は金属などを蒸着あるいはメッキした構造となっている。
【００３４】
ただし、反射部材２０の光反射面１０は、前記のものに限定されるものではない。例えば、反射部材２０の光反射面１０は、光反射面全体の湾曲特性としての楕円鏡の光反射面の曲面形状を規定する基本湾曲特性と、該光反射面の局所的な湾曲特性としての、該基本湾曲特性と異なった、該楕円鏡の光反射面の曲面形状と同種の曲面形状あるいは該楕円鏡の光反射面の曲面形状と異なる種類の曲面形状を規定する局所湾曲特性とにより、該反射部材の光反射面の湾曲形状を規定したものでもよい。さらに、反射部材２０の光反射面１０の第１〜第６の反射領域Ｒｆ１〜Ｒｆ６は、それぞれの反射面の形状として、放物面、平面、楕円面、球面、および非球面からなる群から選択された形状を有していてもよい。
【００３５】
以下、この実施形態１の光源装置１の詳細な構成について説明する。
【００３６】
まず、光源部材２について説明する。
【００３７】
例えば、光源部材２は、直線状光源体２ａと、直線状光源体２ａが装着されるソケット３９とを有している。ここで、直線状光源体２ａは、図１および図３に示すように、電気回路パターンが施された長尺な光源載置台３４と、該光源載置台３４を支持する、アルミニウムなどの熱伝導性に優れた金属で形成された長尺な載置台支持部３３と、該光源載置台３４に固定された複数のＬＥＤ素子（光源）３５と、該複数のＬＥＤ素子３５を囲むように該載置台支持部３３に取り付けられた遮光板３７と、遮光板３７に装着されたカバー部材３６とを備えている。ここで、カバー部材３６は構造上必要に応じて備えるものである。また、遮光板３７は該カバー部材３６の取付部を兼ねており、この遮光板３７にはカバー部材３６が嵌合されている。載置台支持部３３の長手方向の端部には、ＬＥＤ素子３５に駆動電圧を印加するための端子ピン（図示せず）が設けられている。この端子ピンは、反射部材２０の側板２３の内面に取り付けられているソケット３９に接続されるようになっている。
【００３８】
ここで、直線状光源体２ａは、長尺の構成としているが、光源体は、複数の光源を含む球状のものでもよい。また、光源として用いるＬＥＤ素子などの発光体としては、十分な長さを有する発光体でもよい。また、該カバー部材３６は、ポリカーボネートなどの透明な樹脂で形成することが好ましい。
【００３９】
次に、反射部材２０について説明する。
【００４０】
上記反射部材２０は、光反射面１０を形成する反射部材本体（反射鏡）４、この反射部材本体（反射鏡）４を支持する台座４２、および反射部材本体４の両側に配設された側板２３を有している。この側板２３の内面側には、上述した直線状光源体２ａのソケット３９を取り付けるための角形の取付孔２７（図９参照）が形成されている。ここで、反射部材本体４は反射鏡として機能するものである。
【００４１】
また、反射鏡となる反射部材本体４は、図１、図４〜図６に示すように、直線状光源体２ａを取り囲むようにその光反射面１０が鉛直面Ｙ内で凹面状に湾曲した形状となっている。この反射鏡として機能する反射部材本体４は、その直線状光源体２ａ側の面（内面）が光反射面１０となっている。この光反射面１０は、上述したように、曲率等の曲面形状が異なる複数の反射領域を含むことが可能である。
【００４２】
例えば、光反射面１０は、図５に示すように、横方向（水平方向）Ｘに延びる帯状の複数の反射領域を有し、例えば、これらの複数の反射領域は、図５に示すように、上側から順に、第１の反射領域Ｒｆ１、第２の反射領域Ｒｆ２、第３の反射領域Ｒｆ３、第４の反射領域Ｒｆ４、第５の反射領域Ｒｆ５、第６の反射領域Ｒｆ６である。これらの第１〜第６の反射領域Ｒｆ１〜Ｒｆ６の反射面１１〜１６の曲率半径は、例えば鉛直面Ｙ内で任意に設定することができるが、隣接する反射領域の曲率半径は異なるように設計される。従って、隣接する反射領域の境界部１７には凹部または突部が形成される場合がある。
【００４３】
図１１（Ａ）に示すように、境界部１７に形成される凹部は、直線状光源体２ａに沿って延び、かつ周辺領域に対して凹んだ部分となっている。図１１（Ｂ）に示すように、該境界部１７に形成される突部は、直線状光源体２ａに沿って延び、かつ周辺領域に対して突出した部分となっている。また、図１１（Ｃ）に示すように、凹部の境界部１７と突部の境界部１７が並存していてもよい。
【００４４】
各反射領域としては、例えば、鉛直面Ｙにおける形状を楕円の一部、円の一部、放物線の一部、双曲線の一部、直線などの形状とすることができる。さらに、第１〜第６の反射領域Ｒｆ１〜Ｒｆ６は、放物鏡、平面鏡、楕円鏡、球面鏡および非球面鏡からなる群から選択された少なくとも１つの鏡面とすることもできるので、これらの第１〜第６の反射領域Ｒｆ１〜Ｒｆ６における隣接する反射領域の任意の組み合わせにより、隣接する反射領域の境界部１７に、周辺領域に対して凹んだ凹部または周辺領域に対して突出した突部が形成される。
【００４５】
さらに、この実施形態１では、反射鏡として機能する反射部材本体４は、それ自体を一体のもので形成している。
【００４６】
つまり、反射鏡として機能する反射部材本体４を一体のもので形成する場合、例えば、反射部材本体４は、金型を用いて射出成形により成型することができる。あるいは反射部材本体４は、押し出し成型によって長尺な部材を成型した後、成形した長尺部材を適宜必要な寸法に切断することで作製することができる。
【００４７】
さらに、反射鏡４を一体のもので形成する場合は、反射部材本体４及びその台座４２を１つの金型を用いて射出成形により一体成型することが可能である。また、押し出し成型を用いる場合も、反射部材本体４及びその台座４２が一体となったものを作製することができる。
【００４８】
次に作用効果について説明する。
【００４９】
この光源部材２から出射された光のうちの被照射面Ｒｐに向かう直接光Ｌｄは、載置台支持部３３及び遮光板３７に遮られるため（図３参照）、被照射面Ｒｐに入射することはない。一方、この光源部材２から出射された光のうちの反射部材２０に向かう光は、反射部材２０の光反射面１０で反射されて被照射面Ｒｐに向かう（図２参照）。
【００５０】
このとき、光反射面１０に形成された各反射領域Ｒｆ１〜Ｒｆ６の光反射面１１〜１６の曲率半径に応じて設定された照射パターンで、被照射面Ｒｐの照射が行われる。
【００５１】
例えば、被照射面Ｒｐのうち照度を高く設定したい高照度領域に対しては、複数の反射領域で反射した光がその高照度領域を照射するように設定し、あるいは高照度領域に対応する反射領域の光反射面の曲率半径を小さくすればよい。
【００５２】
一方、被照射面Ｒｐのうち照度を低く設定したい低照度領域に対しては、複数の反射領域からの反射光が低照度領域を照射しないように設定し、あるいは低照度領域に対応する反射領域の曲率半径を大きくすればよい。
【００５３】
特に、第１の反射領域１１と第２の反射領域１２との境界部１７に、周辺領域に対して凹んだ凹部または突出する突部が形成されると、その凹部または突部によって、被照射面Ｒｐの明るい（照射が強い）領域と暗い（照射が弱い）領域との境界をはっきりさせることができる。
【００５４】
このように本実施形態１による光源装置１によれば、光源部材２は、反射部材２０で光源部材２からの光源光Ｌｓの反射により得られた反射光Ｌｒのみが被照射面Ｒｐに入射するように、光源から被照射面Ｒｐに向かって出射された直接光Ｌｄを遮る遮光部を有するので、反射部材の光反射面の形状により、被照射面Ｒｐに、明るい（照射が強い）領域と暗い（照射が弱い）領域とを含む明暗パターンを精度よく調整することができる。
【００５５】
つまり、光源からの直接光の影響を受けることなく、反射部材２０の配光特性（光反射面の曲率、形状など）がそのまま被照射面に反映されるため、明るさの必要な部分と明るさの不要な部分に応じたパターンの照射を精度よく行うことが可能となる。その結果、従来のように、レンズや複数の反射鏡を使用する必要がなく、また、遮蔽物や光拡散プレートを光路に介在させることもなく、被照射面の照度をコントロールすることができる。そのため、製品のコストダウンを図ることができ、また消費電力の削減にも有効である。
【００５６】
しかも、多くの光学部品を組み合わせて照射パターンをつくる場合とは異なり、１つの光源部材および１つの反射部材で照射パターンが行えるので、光の干渉が避けられ、スムーズな照射パターンを実現できる。
【００５７】
それゆえ、工場等の作業環境を改善でき、公園、街路等の安全を確保および向上することができる。また、看板や掲示板等の照明による視覚的効果を演出することもできる。
【００５８】
特に、反射部材２０を構成する第１〜第６の反射領域Ｒｆ１〜Ｒｆ６の反射面１１〜１６の形状が、被照射面Ｒｐで要求される明暗パターンに応じて設定されているので、被照射面Ｒｐでは、各反射領域からの反射光により、要求される明暗（強弱）パターンに応じた照明を行うことができる。従って、複数の照射具を使用することもなく、一台の光源装置だけで照射パターンを正確にコントロールすることができる。
【００５９】
さらに、反射部材の配光特性がそのまま被照射面に反映されるため、自然な明暗パターンの表現が可能となり、装飾的な観点からも優れている。
【００６０】
なお、上記実施形態１では、図１、図２、図４〜図５に示すように、反射部材本体４と台座４２とを一体に形成しているが、反射部材本体と台座とを別の部材で構成して接着剤、固着具などで接続するようにしてもよい。
【００６１】
また、上記実施形態１では、反射鏡として機能する反射部材本体４は、それ自体を一体のもので形成しているが、反射部材本体４は、反射部材本体４を構成するユニット（本体ユニット）を組み合わせて組み立てたものでもよい。
（実施形態２）
図７および図８は、本発明の実施形態２による光源装置（照明装置）を説明する図である。図９及び図１０はそれぞれ、この実施形態２の光源装置の反射部材本体を構成する本体構成ユニットの要部を示す斜視図である。
【００６２】
本発明の実施形態２による光源装置は、実施形態１の光源装置における一体成形により作成した反射部材本体４に代えて、複数の本体構成ユニット４１を用いて組み立てた反射部材本体４ａを備えたものである。
【００６３】
具体的には、図７および図８に示すように、複数個、例えば、６つの本体構成ユニット４１（図９及び図１０参照）を横方向に配置し、各本体構成ユニット４１に形成したボルト挿通孔４５にボルト３０を通して、ナット３１にて締結することにより、６つの本体構成ユニット４１が互いに接続されて、１つの反射部材本体４ａが形成される。その後、６つの本体構成ユニット４１の外側に側板２３を配置し、ビスなどの固着具を用いて側板２３を両端の本体構成ユニット４１に取り付ける。ここで、側板２３は、内側プレート２４と外側プレート２５とから構成されており、内側プレート２４には直線状光源体２ａのソケットを取り付ける取付孔２７が形成されている。
【００６４】
ここで、各本体構成ユニット４１は射出成形などで樹脂の成型により形成されており、反射部材本体の各光反射面１１〜１６を構成する反射領域を一体として含んでいる。この本体構成ユニット４１の内面（光反射面）１０は、金属などを蒸着あるいはメッキした構造となっている。
【００６５】
また、ここでは、本体構成ユニット４１と台座４２とは、別の部材で構成して接着剤、固着具などで接続している。ただし、本体構成ユニット４１と台座４２とは一体に成形したものでもよい。
【００６６】
このような構成の実施形態２による光源装置では、実施形態１の光源装置の効果に加えて、反射部材本体である反射鏡４ａを、複数の本体構成ユニット４１を接続することにより構成しているので、光源装置のサイズを本体構成ユニット４１の個数により調整可能であるという効果がある。
【００６７】
なお、上記各実施形態では、反射部材２０の光反射面１０は、第１〜第６の反射領域を有するが、その反射領域の数は任意に設定することができる。例えば、第１および第２の反射領域１２のみを有してもよく、３つ以上の反射領域を有してもよい。
【００６８】
さらに、上記実施形態２では、本体構成ユニットとして、反射部材本体の各光反射面１１〜１６を構成する反射領域を一体として含むものを示しているが、本体構成ユニットは、各光反射面１１〜１６に対応する反射領域毎に独立した領域構成ユニットを、組み合わせて構成したものでもよい。
【００６９】
また、上記各実施形態では、光源装置の光源光は可視光である場合について説明したが、光源光として紫外光（紫外線）を用いてもよい。この場合、本発明の光源装置（紫外線照射装置）によれば、紫外線を遮光するための遮光カバーなどを必要とすることなく、安全に特定範囲のみを紫外線照射することができ、これにより、特定範囲の衛生環境保持にも役立てることができる。
【００７０】
例えば、医療施設内での殺菌、脱臭が必要とされる箇所に、光源光として紫外線を照射すれば特定範囲を精度よく殺菌、脱臭することができる。具体的には、病院内の待合室や病室で、患者や医療従事者が紫外線に晒されないように、ベッドなどの病院設備、空気などに紫外線を選択的に照射することにより、消臭や殺菌を行うこともできる。
【００７１】
光源光として紫外線を使用する場合には、殺菌作用の大きい260nm付近（特に、253.7nm）の紫外線を効率よく発光する素子を使用する。例えば、このような紫外線を発生するＬＥＤ素子を使用することができ、一例としてダイヤモンドＬＥＤがあげられる。
【００７２】
さらに、本発明の光源光として紫外線を発生する光源装置は、以下の用途にも適用することができる。
【００７３】
例えば、輸液バッグや医薬容器の殺菌、クリーンルームに入る前の外装材の殺菌などの医療品を紫外線殺菌するための光源装置；あるいは食品の包装を殺菌するための光源装置；包丁、まな板などの調理器具、衣服、手袋、歯ブラシなどの日用品を紫外線殺菌するための光源装置などである。
【００７４】
本発明の光源光が紫外線である光源装置を使用すると、これら部品の特定範囲をより強く殺菌し、その他の領域を殺菌しないよう精度よく殺菌強度を制御することができる。
【産業上の利用可能性】
【００７５】
本発明は、光源装置の分野において、部品点数の増大、さらに光源光の光束の損失を回避しつつ、被照射面での照度を、要求される照度の異なる領域毎に精度よく調整することができ、これにより被照明面における明るい（照射が強い）領域の範囲と暗い（照射が弱い）領域の範囲を精度よく制御することができる、簡単な構成で光源光の利用効率の高い光源装置を実現することができる。
【符号の説明】
【００７６】
１  光源装置
２  光源部材
２ａ  直線状光源体
４、４ａ  反射部材本体（反射鏡）
１０  光反射面
１１〜１６  第１〜第６の反射面
１７  境界部
２０  反射部材
２３  側板
３３  載置台支持部
３４  光源載置台
３５  光源（ＬＥＤ素子）
３５ａ  光出射面
３６  カバー部材
３７  遮光板
３９  ソケット
４２  台座
Ｌｄ  直接光
Ｌｒ  反射光
Ｌｓ  光源光
Ｒｆ１〜Ｒｆ６  第１〜第６の反射領域
Ｒｐ  被照射面
【図１】
2014203616.tif 000003
【図２】
2014203616.tif 000004
【図３】
2014203616.tif 000005
【図４】
2014203616.tif 000006
【図５】
2014203616.tif 000007
【図６】
2014203616.tif 000008
【図７】
2014203616.tif 000009
【図８】
2014203616.tif 000010
【図９】
2014203616.tif 000011
【図１０】
2014203616.tif 000012
【図１１】
2014203616.tif 000013